(57)【要約】【課題】  通信事情が悪い状態でも、安否情報を簡単に送信できる情報送信システムを提供する。【解決手段】  情報送信システムは、場所に関する情報を有する特定情報を含み、携帯電話に送信される第１メッセージを作成するメッセージ生成部を備える。第１メッセージの作成に使用され、携帯電話ごとの位置情報と、携帯電話の使用者ごとの安否情報を含むデータベースを備える。第１メッセージは、送信対象の携帯電話の使用者の安否を回答するために使用されるハイパーリンクを２以上有する。ハイパーリンクに関連づけられたＵＲＬ情報は、それぞれ、携帯電話の使用者の安否回答の種類に応じて異なるパラメータを含むものである。２以上のハイパーリンクのいずれかを使った安否の回答に基づいて、データベースにおける安否情報が更新される。【選択図】図６
2012137458.tif 000002
【特許請求の範囲】
【請求項１】
場所に関する情報を有する特定情報を含み、携帯電話に送信される第１メッセージを作成するメッセージ生成部と、
前記第１メッセージの作成に使用され、携帯電話ごとの位置情報と、前記携帯電話の使用者ごとの安否情報を含むデータベースとを備え、
前記第１メッセージは、送信対象の携帯電話の使用者の安否を回答するために使用されるハイパーリンクを２以上有し、
前記ハイパーリンクに関連づけられたＵＲＬ情報は、それぞれ、前記携帯電話の使用者の安否回答の種類に応じて異なるパラメータを含むものであり、
前記２以上のハイパーリンクのいずれかを使った安否の回答に基づいて、前記データベースにおける前記安否情報が更新されることを特徴とする情報送信システム。
【請求項２】
前記メッセージ生成部は、携帯電話の位置情報、前記特定情報に含まれる場所に関する情報、前記特定情報の内容に基づいて、前記第１メッセージに前記２以上のハイパーリンクを含めるか否かの決定と、前記第１メッセージを送信するタイミングの調整の少なくとも一方を行うことを特徴とする請求項１に記載の情報送信システム。
【請求項３】
前記メッセージ生成部は、携帯電話ごとに指定した地域を考慮して、前記決定と、前記調整の少なくとも一方を行うことを特徴とする請求項２に記載の情報送信システム。
【請求項４】
前記メッセージ生成部は、前記第１メッセージを作成してから一定時間経過後に、前記携帯電話と別の携帯電話の位置情報と前記別の携帯電話の使用者の安否情報とを含み、前記携帯電話に送信される第２メッセージを作成することを特徴とする請求項１に記載の情報送信システム。
【請求項５】
前記ハイパーリンクに関連づけられたＵＲＬ情報のアドレスの一部に、所定の識別記号が設けられ、
前記携帯電話は、前記所定の識別記号を認識した場合には、前記アドレスのウェブページ閲覧が可能になるまで、前記アドレスへのアクセスを繰り返し行うソフトウエアがインストールされていることを特徴とする請求項１に記載の情報送信システム。
【請求項６】
前記ハイパーリンクに関連づけられたリンク先のアドレスへのアクセスが前記携帯電話の基地局で拒否された場合には、前記基地局が前記アクセスを行った携帯電話の識別情報を含む情報を前記サーバーに送信し、前記識別情報に基づいて前記データベースが更新されることを特徴とする請求項１に記載の情報送信システム。
【請求項７】
前記第１メッセージは、前記携帯電話の通信キャリアの無線アクセスネットワークを使って送信されることを特徴とする請求項１に記載の情報送信システム。
【請求項８】
前記第１メッセージは、前記携帯電話の通信キャリアが有するメッセージ蓄積装置を介して送信されるＳＭＳ若しくはＥＭＳであることを特徴とする請求項７に記載の情報送信システム。
【請求項９】
前記パラメータに含まれる前記携帯電話の電話番号若しくは使用者に関する情報と、所定の識別子に基づいて、前記データベースにおける前記安否情報が決定されることを特徴とする請求項１に記載の情報送信システム。
【請求項１０】
前記携帯電話から、前記ハイパーリンクに関連づけられたＵＲＬ情報のアドレスにアクセスされた場合には、前記携帯電話は、前記アドレスのウェブページであって、前記携帯電話と別の携帯電話の位置情報と前記別の携帯電話の使用者の安否情報とを含むものを表示することを特徴とする請求項１に記載の情報送信システム。
【請求項１１】
前記データベースにおける安否情報は、前記メッセージの送信対象の携帯電話を介して更新されたものと区別出来る状態で、前記メッセージの送信対象の携帯電話と別の装置を介して更新可能であることを特徴とする請求項１に記載の情報送信システム。
【発明の詳細な説明】
【技術分野】
【０００１】
本発明は、情報送信システムに関し、特に、携帯電話の使用者の安否情報を確認する情報送信システムに関する。
【背景技術】
【０００２】
携帯電話を用いて携帯電話の使用者などの安否情報を確認する情報送信システムが提案されている。特許文献１は、災害情報を含む情報を電子メールで送信し、電子メール内に記載されたＵＲＬから所定のウェブページにアクセスし、使用者の安否情報などを入力させる位置情報管理システムを開示する。
【先行技術文献】
【特許文献】
【０００３】
【特許文献１】特開２００４−２２７２４５号公報
【発明の概要】
【発明が解決しようとする課題】
【０００４】
しかし、特許文献１の装置は、所定のＵＲＬにアクセスしてから、安否情報等を入力する必要があり、災害時など通信事情が悪い場合には、情報の入力を最後まで適切に行えないことが起こり得る。【０００５】
したがって本発明の目的は、通信事情が悪い状態でも、安否情報を簡単に送信できる情報送信システムを提供することである。
【課題を解決するための手段】
【０００６】
本発明に係る情報送信システムは、場所に関する情報を有する特定情報を含み、携帯電話に送信される第１メッセージを作成するメッセージ生成部と、第１メッセージの作成に使用され、携帯電話ごとの位置情報と、携帯電話の使用者ごとの安否情報を含むデータベースとを備え、第１メッセージは、送信対象の携帯電話の使用者の安否を回答するために使用されるハイパーリンクを２以上有し、ハイパーリンクに関連づけられたＵＲＬ情報は、それぞれ、携帯電話の使用者の安否回答の種類に応じて異なるパラメータを含むものであり、２以上のハイパーリンクのいずれかを使った安否の回答に基づいて、データベースにおける安否情報が更新される。【０００７】
これにより、送信対象の携帯電話に対して、場所に関する情報を有する特定情報に加えて、送信対象の携帯電話の使用者の安否回答を促すための情報を送ることが可能になる。また、送信対象の携帯電話の使用者は、ハイパーリンクを一度クリックするだけで、自身の安否情報を回答することが可能になる。【０００８】
安否情報の回答は、通信回線が混雑し、輻輳を回避するために、一般の使用者が利用できる通信回線数が制限され、リンク先のアドレスにアクセスしにくい状態で行われる可能性がある。本発明では、第１メッセージにおけるハイパーリンクをクリックするだけで、リンク先のアドレスにアクセスし、安否情報を回答できるため、複数の操作で安否情報を回答する形態に比べれば、通信事情が悪い状態でも、安否情報を簡単に送信でき、安否情報を送り届けられる可能性を高くできる。【０００９】
好ましくは、メッセージ生成部は、携帯電話の位置情報、特定情報に含まれる場所に関する情報、特定情報の内容に基づいて、第１メッセージに２以上のハイパーリンクを含めるか否かの決定と、第１メッセージを送信するタイミングの調整の少なくとも一方を行う。【００１０】
災害場所など特定情報に含まれる場所から遠く離れた場所にある携帯電話の使用者は、特定情報に関連している可能性（災害に遭っている可能性）が低いため、安否情報を確認する必要性が低い。このため、特定情報に含まれる場所（災害場所）からの距離に応じて、第１メッセージの内容の軽重を変えて、発信するデータの総量を調整する。【００１１】
また、第１メッセージを送信する順序を特定情報に含まれる場所に近い携帯電話から順に行うことで、かかる情報を必要とする可能性が高い携帯電話の使用者に対して優先的に情報送信や安否確認を行うことが可能になる。【００１２】
さらに好ましくは、メッセージ生成部は、携帯電話ごとに指定した地域を考慮して、該決定と、該調整の少なくとも一方を行う。【００１３】
携帯電話の使用者の用途に合わせて第１メッセージの軽重や送信タイミングを調整出来る。【００１４】
また、好ましくは、メッセージ生成部は、第１メッセージを作成してから一定時間経過後に、携帯電話と別の携帯電話の位置情報と別の携帯電話の使用者の安否情報とを含み、携帯電話に送信される第２メッセージを作成する。【００１５】
これにより、送信対象の携帯電話に対して、場所に関する情報を有する特定情報に加えて、別の携帯電話の位置情報すなわち別の携帯電話の使用者の位置情報と安否情報を送ることが可能になる。送信対象の携帯電話の使用者は、第２メッセージを見て、特定情報の内容を確認出来る上、別の携帯電話の使用者の位置と特定情報との関連性、すなわち災害などの特定情報に関連する場所近辺に居るか否かとその安否を確認することが可能になる。【００１６】
別の携帯電話の使用者の安否情報は、第１メッセージに含まれるハイパーリンクをクリックして、サーバーにアクセス（リンク先のアドレスにアクセス）し、安否情報の一覧を含むウェブページを閲覧することでも可能であるが、携帯電話の使用者全員の安否情報が更新されているとは限らない。第２メッセージは、第１メッセージを作成してから一定時間経過後に作成され、それまでにデータベースに記録されている安否情報をまとめて発信出来るので、第１メッセージ作成直後よりも有益な安否情報を得やすい。【００１７】
また、下り回線は、携帯電話から発信する上り回線に比べて、通信キャリア側で発信するか否かの制御を行いやすいので、適当なタイミングに確実に安否情報を使用者に知らせることが可能になる。【００１８】
好ましくは、ハイパーリンクに関連づけられたＵＲＬ情報のアドレスの一部に、所定の識別記号が設けられ、携帯電話は、所定の識別記号を認識した場合には、アドレスのウェブページ閲覧が可能になるまで、アドレスへのアクセスを繰り返し行うソフトウエアがインストールされている。【００１９】
また、１度のブラウザ動作でリンク先のアドレスにアクセス出来ない場合でも、何回か繰り返し行うことにより、アクセスが出来、安否情報を送信することが可能になる。【００２０】
また、好ましくは、ハイパーリンクに関連づけられたリンク先のアドレスへのアクセスが携帯電話の基地局で拒否された場合には、基地局がアクセスを行った携帯電話の識別情報を含む情報をサーバーに送信し、識別情報に基づいてデータベースが更新される。【００２１】
この場合、安否情報までは分からないが、携帯電話からのアクセスがあったこと、すなわち携帯電話を使用した者が居ることは確認出来る。【００２２】
また、好ましくは、第１メッセージは、携帯電話の通信キャリアの無線アクセスネットワークを使って送信される。【００２３】
通信キャリアの無線アクセスネットワーク等を使って、メッセージを送信するため、外部のインターネットを介してメッセージを送信する形態に比べて、携帯電話にメッセージを到達させる可能性が高い。【００２４】
さらに好ましくは、第１メッセージは、携帯電話の通信キャリアが有するメッセージ蓄積装置を介して送信されるＳＭＳ若しくはＥＭＳである。【００２５】
メッセージを受信する携帯電話が受信可能な状態になるまで、メッセージを保存し、受信可能な状態になると、ゲートウェイ交換機などを介して送信対象の携帯電話にメッセージを送信するメッセージ蓄積装置を使用するＳＭＳやＥＭＳの方が、早く確実にメッセージを携帯電話に到達させる可能性が高い。【００２６】
また、好ましくは、パラメータに含まれる携帯電話の電話番号若しくは使用者に関する情報と、所定の識別子に基づいて、データベースにおける安否情報が決定される。【００２７】
また、好ましくは、携帯電話から、ハイパーリンクに関連づけられたＵＲＬ情報のアドレスにアクセスされた場合には、携帯電話は、アドレスのウェブページであって、携帯電話と別の携帯電話の位置情報と別の携帯電話の使用者の安否情報とを含むものを表示する。【００２８】
また、好ましくは、データベースにおける安否情報は、メッセージの送信対象の携帯電話を介して更新されたものと区別出来る状態で、メッセージの送信対象の携帯電話と別の装置を介して更新可能である。【００２９】
また、携帯電話が水没するなど、壊れてしまい、携帯電話を介して、安否情報を回答出来ない事態でも、安否情報を入力し、かかる安否情報がデータベースに登録できる。
【発明の効果】
【００３０】
以上のように本発明によれば、通信事情が悪い状態でも、安否情報を簡単に送信できる情報送信システムを提供することができる。
【図面の簡単な説明】
【００３１】
【図１】本実施形態における情報送信システムの構成図である。
【図２】携帯電話からの安否回答を受ける前の第１データベースのコンテンツを示す図である。
【図３】第２データベースのコンテンツを示す図である。
【図４】第３データベースのコンテンツを示す図である。
【図５】メッセージ生成部周辺の構成図である。
【図６】第１ＳＭＳメッセージの内容を示す図である。
【図７】携帯電話からの安否回答を受けた後の第１データベースのコンテンツを示す図である。
【図８】第１ハイパーリンク若しくは第２ハイパーリンクをクリックして閲覧可能にされるウェブページを示す図である。
【図９】第２ＳＭＳメッセージの内容を示す図である。
【図１０】第１ＳＭＳメッセージの別の形態を示す図である。
【図１１】指定地域などの情報を加えた第３データベースのコンテンツを示す図である。
【図１２】第１ＳＭＳメッセージを送信対象の携帯電話ごとに作成する具体的な手順を示すフローチャートである。
【発明を実施するための形態】
【００３２】
以下、本実施形態について、図を用いて説明する。本実施形態における情報送信システム１は、無線アクセスネットワーク（RAN：Radio Access Network）１０、コアネットワーク（CN：Core Network）３０、情報源発信部４０、メッセージ生成部５０、第１〜第３データベース５１〜５３、サーバー６０、及び第１〜第５携帯電話２０１〜２０５を備える（図１参照）。
【００３３】
無線アクセスネットワーク１０は、携帯電話と対向して無線リンクを形成する第１〜第１２基地局（BTS：Base Transceiver Station）１０１〜１１２を有する。コアネットワーク３０は、他の通信キャリアなどの電話網との接続のためのゲートウェイ交換機（GMSC：Gateway Mobile Switching Center）３１、携帯電話番号や端末識別番号などのユーザー情報を管理するデータベースであるＨＬＲ（Home Location Register）３３、ＳＭＳ（Short Message
Service）用に作成されたＳＭＳメッセージ（第１、第２ＳＭＳメッセージ）を受信先の携帯電話が受信可能な状態になるまで保持するメッセージサービス蓄積装置（MPS：Message Processing System）３５、及び携帯電話のルーチング（通信ルートの選定）、呼設定・切断、課金等を行う第１〜第４移動交換機（MSC：Mobile Switching Center）３６〜３９を有する。なお、携帯電話や移動交換機の数は、上記のものに限られない。
【００３４】
第１〜第５携帯電話２０１〜２０５は、無線アクセスネットワーク１０、及びコアネットワーク３０を使って、通常の携帯電話で使用される通話などの通信が可能である。この通信には、ゲートウェイ交換機３１を介した、他の通信キャリアや固定電話の電話機との通信（通話）を含む。
【００３５】
例えば、第１携帯電話２０１と第２携帯電話２０２との間は、第２基地局１０２、第１移動交換機３６、ゲートウェイ交換機３１、第２移動交換機３７、及び第４基地局１０４を介して通信（通話）が可能な状態にされる。また、同じ移動交換機のエリア内に居る場合には、ゲートウェイ交換機３１を介さないで通信が可能である。例えば、同じ第２移動交換機３７のエリア内に居る第２携帯電話２０２と第３携帯電話２０３とは、第４基地局１０４、第２移動交換機３７、及び第６基地局１０６を介して通信が可能である。
【００３６】
さらに、通常の通信の他、本実施形態では、メッセージ生成部５０などを使って、情報源発信部４０から出力された特定情報に、送信対象の携帯電話と別の携帯電話の位置情報と安否回答用ＵＲＬ（Uniform Resource Locator）情報を付加した第１ＳＭＳメッセージの、送信対象の携帯電話（第１〜第５携帯電話２０１〜２０５）に対する送信が行われる。また、メッセージ生成部５０などを使って、特定情報に、送信対象の携帯電話と別の携帯電話の位置情報と安否情報を付加した第２ＳＭＳメッセージの、送信対象の携帯電話（第１〜第５携帯電話２０１〜２０５）に対する送信が行われる。
【００３７】
すなわち、第１ＳＭＳメッセージと第２ＳＭＳメッセージは、特定情報の場所に関連せず、第１〜第５携帯電話２０１〜２０５に送信される。また、第１ＳＭＳメッセージは、送信対象になる携帯電話と別の携帯電話の位置情報と安否回答用ＵＲＬ情報を含み、第２ＳＭＳメッセージは、送信対象になる携帯電話と別の携帯電話の位置情報と安否情報を含む。
【００３８】
第１〜第３基地局１０１〜１０３は、第１移動交換機３６と接続する。第４〜第６基地局１０４〜１０６は、第２移動交換機３７と接続する。第７〜第９基地局１０７〜１０９は、第３移動交換機３８と接続する。第１０〜第１２基地局１１０〜１１２は、第４移動交換機３９と接続する。第１〜第４移動交換機３６〜３９、ＨＬＲ３３、及びメッセージサービス蓄積装置３５は、ゲートウェイ交換機３１と接続する。
【００３９】
ＨＬＲ３３は、第１〜第４移動交換機３６〜３９それぞれがカバーするエリアごとの位置登録データベースであるＶＬＲ（Visitor Location Register、不図示）から第１〜第５携帯電話２０１〜２０５の位置情報を取得する。位置情報を取得するため、位置登録通信（携帯電話がどの基地局のエリアに居るかをコアネットワーク３０に知らせるための、携帯電話と基地局間で常時行われる通信）が実行されると、ＶＬＲ及びＨＬＲ３３の携帯電話ごとの位置情報が更新される。ＨＬＲ３３は、通常の通信の際の着信する（呼び出しする）携帯電話の場所を特定するために使用される他、本実施形態では、第１データベース５１の作成に使用される。
【００４０】
情報源発信部４０は、特定情報をメッセージ生成部５０に出力する。特定情報は、少なくとも場所に関連する情報を有する。本実施形態では、特定情報は、地震などの災害情報であるとして説明するが、他の情報であってもよい。また、地震発生報告など過去に発生した情報だけでなく、地震予知など将来に発生が予測される情報であってもよい。特定情報は、災害の種別、場所、及び日時に関する情報を有する。本実施形態では、特定情報が、災害の種別：地震・震度３・津波の可能性有り、場所：香川県高松市、日時：２００７年１２月２日１０時３０分を有するものであるとして説明する。情報源発信部４０は、メッセージ生成部５０とネットワーク接続が可能な状態で、気象庁など災害の情報を発信できる場所に設置される。但し、情報源発信部４０を設置せず、災害の情報を受けて、メッセージ生成部５０に特定情報を入力する形態であってもよい。
【００４１】
パーソナルコンピュータやワークステーションで構成されるメッセージ生成部５０は、ゲートウェイ交換機３１、メッセージサービス蓄積装置３５、第１〜第３データベース５１〜５３、及び情報源発信部４０、及びサーバー６０と接続する。メッセージ生成部５０には、ＨＬＲ３３の情報などに基づいて第１〜第３データベース５１〜５３を作成し、情報源発信部４０から出力される特定情報、及び第１〜第３データベース５１〜５３に基づいて第１、第２ＳＭＳメッセージを送信対象の携帯電話ごとに作成し、メッセージサービス蓄積装置３５に出力する制御を行うソフトウエアがインストールされている。メッセージ蓄積装置３５は、第１、第２ＳＭＳメッセージを受信する携帯電話が受信可能な状態になるまで、第１、第２ＳＭＳメッセージを保存し、受信可能な状態になると、ゲートウェイ交換機３１などを介して送信対象の携帯電話に第１、第２ＳＭＳメッセージを送信する。
【００４２】
第１データベース５１は、本実施形態における情報送信システム１を活用する第１〜第５携帯電話２０１〜２０５の位置情報のデータベースであり、第１データベース５１がＨＬＲ３３の情報などに基づいて作成される。
【００４３】
第１データベース５１は、携帯電話名称、電話番号（携帯電話を識別する情報であれば利用者名称など他の情報でも良い）、位置情報（緯度経度情報）、測位日時（時間情報）、測位精度、及び携帯電話使用者の安否情報を有する（図２参照）。メッセージ生成部５０は、第１データベース５１を作成するため、ＨＬＲ３３から第１〜第５携帯電話２０１〜２０５の位置情報を取得し、サーバー６０から第１〜第５携帯電話２０１〜２０５の使用者の安否情報を取得する。
【００４４】
ＨＬＲ３３に記録される位置情報は、単独の基地局からの電波の情報を元に算出するセルベース測位によるもので１００〜１００００メートル単位の誤差がある。そのため、本実施形態では、メッセージ生成部５０が、ゲートウェイ交換機３１、第１〜第４移動交換機３６〜３９、第１〜第１２基地局１０１〜１１２を介して、第１〜第５携帯電話２０１〜２０５と通信して更に精度の高い位置情報を取得する。
【００４５】
具体的には、携帯電話がＧＰＳ(Global Positioning System)機能を有しＧＰＳ測位が可能な状態である場合には、携帯電話がＧＰＳ測位による緯度経度情報を取得し、ＧＰＳ機能を有しないまたはＧＰＳ測位が可能でない場合には、３基以上の基地局からの電波情報を元に位置を算出する複数基地局測位による緯度経度情報を取得する。ＧＰＳ測位の場合は約１０メートル単位にまで、複数基地局測位の場合は約１００メートル単位にまで、誤差を少なくすることが可能になる。ＧＰＳ測位や複数基地局測位による緯度経度情報は、通常の位置登録通信で使用される電波に重畳して送信してもよいし、別途他のデータ通信を使って送信してもよい（例えば、後述する第１ハイパーリンクや第２ハイパーリンクに関連づけられたＵＲＬ情報のアドレスへアクセスするために送信する信号に重畳する）。
【００４６】
図２は、第１データベース５１の具体例として、第１〜第５携帯電話２０１〜２０５の緯度経度情報などを示す。電源がオフにされているなど、携帯電話との通信が行えない場合は、測位日時が古くなる（早い時間になる）ことが起こり得る（図２の第４携帯電話２０４の測位日時参照）。
【００４７】
測位精度は、測位方法によって異なる値を示し、後述する地域名称の表示範囲の判断に使用される。本実施形態では、最も測位精度の高いＧＰＳ測位の場合に値を１に設定し、次に測位精度の高い複数基地局測位の場合に値を２に設定し、セルベース測位の場合に値を３に設定する。
【００４８】
安否情報、安否情報受信日時は、第１〜第５携帯電話２０１〜２０５の使用者が無事か否かを示す情報で、第１ＳＭＳメッセージに含まれる第１、第２ハイパーリンクのいずれかを使った安否の回答に基づいて更新される。
【００４９】
例えば、第１携帯電話２０１（携帯電話番号：０９０−３３４７―＊＊＊＊）に送られてきた第１ＳＭＳメッセージの安否回答用ＵＲＬ表示欄における「無事であること」を示すＵＲＬ（図６の「ｈｔｔｐ：／／ｄｅｎｇｏｎ．ｊｐ／？ｂ＝０９０３３４７＊＊＊＊＆ａ＝１」のリンク（第１ハイパーリンク）が第１携帯電話２０１の使用者の操作によってクリックされ、ネットワークを介して、第１ハイパーリンクに関連づけられたＵＲＬ情報のアドレスにアクセスができた場合には、第１ＳＭＳメッセージを送信した携帯電話（第１ＳＭＳメッセージを受信した第１携帯電話２０１）の使用者が無事であるとして、かかる携帯電話の安否情報欄に「無事であること」を示すパラメータ：１に値設定され、安否情報受信日時欄には、第１ハイパーリンクへのアクセスが行われた時間が記される。
【００５０】
また、第１携帯電話２０１に送られてきた第１ＳＭＳメッセージの安否回答用ＵＲＬ表示欄における「無事でないこと」を示すＵＲＬ（図６の「ｈｔｔｐ：／／ｄｅｎｇｏｎ．ｊｐ／？ｂ＝０９０３３４７＊＊＊＊＆ａ＝２」のリンク（第２ハイパーリンク）が第１携帯電話２０１の使用者の操作によってクリックされ、ネットワークを介して、第２ハイパーリンクに関連づけられたＵＲＬ情報のアドレスへのアクセスができた場合には、送信元の携帯電話（第１ＳＭＳメッセージを受信した第１携帯電話２０１）の使用者が無事でないとして、かかる携帯電話の安否情報欄に「無事でないこと」を示すパラメータ：２に値設定され、安否情報受信日時欄には、第２ハイパーリンクへのアクセスが行われた時間が記される。
【００５１】
安否情報のパラメータは、初期値は０に設定され、第１ハイパーリンクや第２ハイパーリンクに関連づけられたＵＲＬ情報のアドレスへのアクセスがあった場合に、値が１や２に変更される。すなわち、第１ハイパーリンクや第２ハイパーリンクに関連づけられたＵＲＬ情報のアドレスへのアクセスが無い状態においては、初期値：０が維持される。安否情報受信日時欄は、安否の回答（第１ハイパーリンクや第２ハイパーリンクに関連づけられたＵＲＬ情報のアドレスへのアクセス）があるまでは、空欄である。図２は、安否の回答を受ける前の第１データベース５１を示し、図７は、一部の携帯電話使用者の安否の回答（第１携帯電話２０１、第２携帯電話２０２、第５携帯電話２０５の使用者の安否の回答）を受けた後の第１データベース５１を示す。
【００５２】
第１データベース５１の位置情報（緯度経度情報、測位日時）作成は、さらに通信キャリアが有する他の位置情報データベースに基づくものであってもよい。
【００５３】
第２データベース５２は、緯度経度情報を地域名称に変換するテーブルであり、緯度経度情報、及び緯度経度情報に対応する地域名称を有する（図３参照）。第２データベース５２は、第１データベース５１に含まれる第１〜第５携帯電話２０１〜２０５の緯度経度情報を、第２データベース５２に含まれる緯度経度情報の近いものに対応させて地域名称に変換するのに使用される。本実施形態では、地域名称として、市町村などの名称や地番を用いる形態を説明するが、“東京ディズニーランド”などの施設名称を用いる形態であってもよい。
【００５４】
例えば、第１データベース５１に含まれる第１携帯電話２０１の緯度：３５．６５７１０２度、経度：１３９．７４５８２０度は、第２データベース５２に含まれる地域名称：東京都港区芝公園４に対応する緯度：３５．６５７１４３度、経度：１３９．７４５９７２度に最も近いため、第２携帯電話２０１は、地域名称：東京都港区芝公園４付近に居ることが算出され、第２携帯電話２０１の使用者は、地域名称：東京都港区芝公園４付近に居ることが推定される。
【００５５】
このように算出された地域名称は、後述する第１、第２ＳＭＳメッセージに含められる。但し、地域名称として表示する範囲（第１、第２ＳＭＳメッセージに記載する地域名称の詳細度合い）は、測位精度の値に応じて変更される。具体的には、緯度経度情報を取得する測位方法の精度が高い場合には、詳しい地名まで含めて地域名称を表示し、精度が低い場合には、大まかな地名までの地域名称を表示する。本実施形態では、ＧＰＳ測位の場合、すなわち測位精度の値が１の場合は、市町村等の区画名称及び地番まで含めた地域名称：東京都港区芝公園４を表示し、複数基地局測位の場合、すなわち測位精度の値が２の場合は、市町村等の区画名称まで含めた地域名称：東京都港区芝公園を表示し、セルベース測位の場合、すなわち測位精度の値が３の場合は、市町村名称または区名称まで含めた地域名称：東京都港区を表示する。なお、地域名称の表示範囲はこれに限られるものではなく、測位精度に合わせて設定するのが望ましい。
【００５６】
第３データベース５３は、送信対象になる携帯電話名称、及び第１ＳＭＳメッセージや第２ＳＭＳメッセージに含める位置情報に対応する携帯電話名称を有する。第１ＳＭＳメッセージや第２ＳＭＳメッセージに含める位置情報に対応する携帯電話名称は、使用者などにより任意に設定される。
【００５７】
図４では、第３データベース５３の具体例として、第１携帯電話２０１には、第２携帯電話２０２、第４携帯電話２０４、及び第５携帯電話２０５の位置情報（地域名称）や安否情報を送り、第２携帯電話２０２には、第１携帯電話２０１及び第５携帯電話２０５の位置情報や安否情報を送り、第３携帯電話２０３には、第１携帯電話２０１及び第５携帯電話２０５の位置情報や安否情報を送り、第４携帯電話２０４には、第１携帯電話２０１及び第３携帯電話２０３の位置情報や安否情報を送り、第５携帯電話２０５には、第２携帯電話２０２の位置情報や安否情報を送る旨の内容を示す。なお、第３データベース５３では、携帯電話名称の代わりに対応する携帯電話番号を使用してもよい。
【００５８】
ＧＰＳ測位や複数基地局測位は、第１時間ｔ１ごと、例えば位置登録通信が行われるたびに行われ、第１データベース５１は、かかる通信によりＨＬＲ３３の更新に対応して更新される。第２データベース５２は、予め作成されたデータベース（変換テーブル）である。第３データベース５３は、携帯電話や不図示のパソコンなどからメッセージ生成部５０にアクセスして予め設定される。
【００５９】
情報源発信部４０から特定情報を受信すると、メッセージ生成部５０は、特定情報及び第１〜第３データベース５１〜５３に基づいて第１ＳＭＳメッセージを送信対象の携帯電話ごとに作成し、メッセージサービス蓄積装置３５に出力する。具体的には、メッセージ生成部５０は、第１データベース５１に含まれる第１〜第５携帯電話２０１〜２０５の緯度経度情報を、第２データベース５２を使って、地域名称に変換し、これを位置情報として、第１ＳＭＳメッセージに使用する。送信対象の携帯電話に送信する必要のある携帯電話名称は、第３データベース５３に基づいて特定される。
【００６０】
また、メッセージ生成部５０は、送信対象の携帯電話の使用者の安否を確認するために、送信対象の携帯電話の使用者の安否回答を促すための情報を作成する。具体的には、送信対象の携帯電話の使用者が無事であることを回答するための第１ハイパーリンクと、送信対象の携帯電話の使用者が無事でないことを回答するための第２ハイパーリンクを有する安否回答用ＵＲＬ表示欄を作成する。
【００６１】
第１ハイパーリンクに関連づけられたＵＲＬ情報は、安否情報の一覧のウェブページのアドレスと、サーバー６０が送信元を識別するための情報（送信対象の携帯電話の携帯電話番号と、無事であることを示す識別子（＝１））とを有する。
【００６２】
第２ハイパーリンクに関連づけられたＵＲＬ情報は、安否情報の一覧のウェブページのアドレスと、サーバー６０が送信元を識別するための情報（送信対象の携帯電話の携帯電話番号と、無事でないことを示す識別子（＝２））とを有する。
【００６３】
これらに基づいて、メッセージ生成部５０は、特定情報を表示する特定情報表示欄と、送信対象の携帯電話に送信する必要のある携帯電話の位置情報を表示する位置情報表示欄と、安否回答用ＵＲＬ情報表示欄とを有する第１ＳＭＳメッセージを作成する。
【００６４】
第１ＳＭＳメッセージの前段部分（特定情報表示欄）は、災害の種別：地震・震度３・津波の可能性あり、場所：香川県高松市、及び日時：２００７年１２月２日１０時３０分を含むメッセージ“香川県高松市で、２００７年１２月２日１０時３０分ごろ、震度３で津波の可能性のある地震がありました。”を有する。
【００６５】
第１ＳＭＳメッセージの中段部分（位置情報表示欄）は、第１携帯電話２０１へ送信する場合は、送信対象の携帯電話に送信する必要のある携帯電話の位置情報を有するメッセージ、“第２携帯電話は１０時８分現在、千葉県浦安市にあります。第４携帯電話は８時３０分現在、静岡県静岡市清水区二の丸町にあります。第５携帯電話は１０時１５分現在、香川県高松市上之町１にあります。”を有する。位置情報表示欄において表示する地域名称は、測位精度に応じて表示範囲（詳細度合い）が調整される。
【００６６】
第１ＳＭＳメッセージの後段部分（安否回答用ＵＲＬ表示欄）は、送信先の携帯電話の使用者が無事である場合に第１ハイパーリンクをクリックする旨の指示“無事な場合は、第１ハイパーリンク（リンク先のアドレスと送信元の携帯電話番号と無事であることを示す識別子を含むＵＲＬ情報）をクリックしてください”と、送信対象の携帯電話の使用者が無事でない場合に第２ハイパーリンクをクリックする旨の指示“無事でない場合は、第２ハイパーリンク（リンク先のアドレスと送信元の携帯電話番号と無事でないことを示す識別子を含むＵＲＬ情報）をクリックしてください”を有する。
【００６７】
第１、第２ハイパーリンクに関連づけられたＵＲＬ情報のアドレス「ｈｔｔｐ：／／ｄｅｎｇｏｎ．ｊｐ」へのアクセスを受けたサーバー６０は、「？」以下のパラメータを読みとり、「ｂ＝」以下の携帯電話番号と、「ａ＝」以下の識別子（無事の場合１で、無事でない場合２）から、携帯電話の使用者ごとの安否を判別する。
【００６８】
なお、携帯電話を識別する情報（携帯電話番号若しくはメールアドレス）は、ＵＲＬ情報に含めて、サーバー６０がこれを読みとる形態の他、第１、第２ハイパーリンクに関連づけられたＵＲＬ情報のアドレス「ｈｔｔｐ：／／ｄｅｎｇｏｎ．ｊｐ」へのアクセスする際に、携帯電話がかかる識別情報も発信し、これをサーバー６０が読みとる形態であってもよい。
【００６９】
これにより、送信対象の携帯電話に対して、場所に関する情報を有する特定情報に加えて、別の携帯電話の位置情報と、送信対象の携帯電話の使用者の安否回答を促すための情報を送ることが可能になる。
【００７０】
送信対象の携帯電話の使用者は、第１ＳＭＳメッセージを見て、特定情報の内容を確認出来る上、別の携帯電話の使用者の位置と特定情報との関連性、すなわち災害などの特定情報に関連する場所近辺に居るか否かを確認することが可能になる。
【００７１】
また、送信対象の携帯電話の使用者が、第１ＳＭＳメッセージの後段にある安否回答用ＵＲＬ情報欄の第１ハイパーリンク若しくは第２ハイパーリンクをクリックすることにより、送信対象の携帯電話は、ブラウザを起動し、ネットワークを介して、リンク先のアドレス（ここでは、ｈｔｔｐ：／／ｄｅｎｇｏｎ．ｊｐ）にアクセスする。サーバー６０は、リンク先アドレスへのアクセスを受けると、第１ハイパーリンクまたは第２ハイパーリンクの後半部分の内容（携帯電話番号や、無事か否かの識別子）を読みとり、携帯電話ごとの安否情報を判断し、第１データベース５１の内容を更新する。また、サーバー６０は、更新後の第１データベース５１の内容に基づいて、送信対象の携帯電話の第１ＳＭＳメッセージに含める別の携帯電話の位置情報や該携帯電話の使用者の安否情報の一覧を含むウェブページの情報を送信対象の携帯電話に送信し、送信対象の携帯電話のブラウザは、該ウェブページ（図８参照）を表示する。
【００７２】
送信対象の携帯電話から、リンク先のアドレスへのアクセスは、無線アクセスネットワーク１０を使った通信キャリア内のネットワークのほか、無線ＬＡＮなど、通信キャリア外のネットワークを介して行ってもよい。
【００７３】
これにより、送信対象の携帯電話の使用者は、第１ハイパーリンクか第２ハイパーリンクを一度クリックするだけで、自身の安否情報をサーバー６０に対して回答することが可能になる。
【００７４】
安否情報の回答は、通信回線が混雑し、輻輳を回避するために、一般の使用者が利用できる通信回線数が制限され、リンク先のアドレスにアクセスしにくい状態で行われる可能性がある。本実施形態では、第１ＳＭＳメッセージにおける第１ハイパーリンク若しくは第２ハイパーリンクのいずれか１つをクリックするだけで、リンク先のアドレスにアクセスし、安否情報を回答できるため、複数の操作で安否情報を回答する形態に比べれば、通信事情が悪い状態でも、安否情報を簡単に送信でき、安否情報をサーバー６０に送り届けられる可能性を高くできる。
【００７５】
また、１度のブラウザ動作でリンク先のアドレスにアクセス出来ない場合には、携帯電話にインストールした所定のソフトウエアを実行して、ウェブページが閲覧可能になるまでブラウザでリンク先のアドレスへのアクセスを繰り返す形態が考えられる。例えば、第１ハイパーリンクや第２ハイパーリンクに、アクセス試行を繰り返す識別記号（ハイパーリンクに関連づけられたＵＲＬ情報のアドレスの一部（例：ｈｔｔｐ）を通常の小文字に代えて大文字で表記するなど）を含ませておき、かかる識別記号を携帯電話が認識した場合には、所定のソフトウエアが実行され、ウェブページの閲覧が可能になるまで、アクセスを繰り返す。
【００７６】
また、第１ハイパーリンクや第２ハイパーリンクに関連づけられたリンク先のアドレスへのアクセスが基地局で拒否された場合には、基地局がかかるアクセスを行った携帯電話の識別情報（例えば、ＳＩＭカードに含まれる固定番号「ＩＤ：××××××」など）を含む情報をサーバー６０に送信し、識別情報に基づいて第１データベース５１が更新される形態でもよい。具体的には、基地局が動作状態ではあるが、携帯電話に分け与える帯域（チャネル）が無く、該携帯電話からのチャネル割り当て要求に答えられない場合に、基地局が、チャネル割り当て要求があった携帯電話の識別情報のチャネル割り当て要求を却下した旨の情報をサーバー６０に送信し、かかる情報に基づいて第１データベース５１が更新される（通常の基地局は、チャネル割り当て要求を却下するだけで、上位にかかる情報を送らないので、基地局のプログラムを上述の情報送信が出来るように変更する）。この場合、安否情報までは分からないが、携帯電話からのアクセスがあったこと、すなわち携帯電話を使用した者が居ることは確認出来る。このため、第１データベース５１の安否情報欄の識別子を、「無事であること」を示す「１」や「無事でないこと」を示す「２」とは別の識別子（例えば、「安否は分からないが携帯電話からのアクセスがあったこと」を示す「３」）を設定するのが望ましい。
【００７７】
また、情報源発信部４０から特定情報を受信すると、メッセージ生成部５０は、第１ＳＭＳメッセージを作成してから第２時間ｔ２（例えば、２０分）経過後に、特定情報及び第１〜第３データベース５１〜５３に基づいて第２ＳＭＳメッセージ（図９参照）を送信対象の携帯電話ごとに作成し、メッセージサービス蓄積装置３５に出力する。具体的には、メッセージ生成部５０は、第１データベース５１に含まれる第１〜第５携帯電話２０１〜２０５の緯度経度情報を、第２データベース５２を使って、地域名称に変換し、これを位置情報として、第２ＳＭＳメッセージに使用する。送信対象の携帯電話に送信する必要のある携帯電話名称は、第３データベース５３に基づいて特定される。また、メッセージ生成部５０は、第１データベース５１に含まれる第１〜第５携帯電話２０１〜２０５の使用者の安否情報を第２ＳＭＳメッセージに使用する。
【００７８】
これらに基づいて、メッセージ生成部５０は、特定情報を表示する特定情報表示欄と、送信対象の携帯電話に送信する必要のある携帯電話の位置情報と該携帯電話の使用者の安否情報を表示する位置情報と安否情報表示欄とを有する第２ＳＭＳメッセージを作成する。
【００７９】
第２ＳＭＳメッセージの前段部分（特定情報表示欄）は、災害の種別：地震・震度３・津波の可能性あり、場所：香川県高松市、及び日時：２００７年１２月２日１０時３０分を含むメッセージ“香川県高松市で、２００７年１２月２日１０時３０分ごろ、震度３で津波の可能性のある地震がありました。”を有する。
【００８０】
第２ＳＭＳメッセージの後段部分（位置情報と安否情報表示欄）は、第１携帯電話２０１へ送信する場合は、送信対象の携帯電話に送信する必要のある携帯電話の位置情報と該携帯電話の使用者の安否情報を有するメッセージ、“第２携帯電話は１０時３１分現在、千葉県浦安市にあり、使用者の無事を確認済みです。第４携帯電話は８時３０分現在、静岡県静岡市清水区二の丸町にあり、使用者の無事が確認できていません。第５携帯電話は１０時３２分現在、香川県高松市上之町１にあり、使用者が無事でないことを確認済みです。”を有する。位置情報表示欄において表示する地域名称は、測位精度に応じて表示範囲（詳細度合い）が調整される。
【００８１】
これにより、送信対象の携帯電話に対して、場所に関する情報を有する特定情報に加えて、別の携帯電話の位置情報すなわち別の携帯電話の使用者の位置情報と安否情報を送ることが可能になる。送信対象の携帯電話の使用者は、第２ＳＭＳメッセージを見て、特定情報の内容を確認出来る上、別の携帯電話の使用者の位置と特定情報との関連性、すなわち災害などの特定情報に関連する場所近辺に居るか否かとその安否を確認することが可能になる。
【００８２】
別の携帯電話の使用者の安否情報は、第１ＳＭＳメッセージに含まれる第１ハイパーリンク若しくは第２ハイパーリンクをクリックして、サーバー６０にアクセス（リンク先のアドレスにアクセス）し、安否情報の一覧を含むウェブページを閲覧することでも可能であるが、携帯電話の使用者全員の安否情報が更新されているとは限らない。第２ＳＭＳメッセージは、第１ＳＭＳメッセージを作成してから第２時間ｔ２経過後に作成され、それまでに第１データベース５１に記録されている安否情報をまとめて発信出来るので、第１ＳＭＳメッセージ作成直後よりも有益な安否情報を得やすい。
【００８３】
また、メッセージサービス蓄積装置３５から発信される下り回線は、携帯電話から発信する上り回線に比べて、通信キャリア側で発信するか否かの制御を行いやすいので、適当なタイミングに確実に安否情報を使用者に知らせることが可能になる。
【００８４】
本実施形態では、通信キャリアの無線アクセスネットワーク１０やコアネットワーク３０を使って、メッセージ（第１、第２ＳＭＳメッセージ）を送信する。このため、外部のインターネットを介してメッセージを送信する形態に比べて、携帯電話にメッセージを到達させる可能性が高い。
【００８５】
通信キャリアの無線アクセスネットワーク１０等を使って送信するメッセージとしては、ＳＭＳの他にＥＭＳ（Enhanced Messaging Service）、ＭＭＳ（Multimedia
Messaging Service）、ｉモード（登録商標）などの通信キャリア独自のＥ−ｍａｉｌサービスも考えられ、これらの形態であってもよい。
【００８６】
ＳＭＳやＥＭＳの場合は、携帯電話の電話番号宛にメッセージが送信され、その他の場合には、携帯電話のメールアドレス宛にメッセージが送信される。第１、第２ＳＭＳメッセージを受信する携帯電話が受信可能な状態になるまで、第１、第２ＳＭＳメッセージを保存し、受信可能な状態になると、ゲートウェイ交換機３１などを介して送信対象の携帯電話に第１、第２ＳＭＳメッセージを送信するメッセージ蓄積装置３５を使用するＳＭＳやＥＭＳの方が、早く確実にメッセージを携帯電話に到達させる可能性が高い。
【００８７】
なお、本実施形態では、位置情報の測位精度を上げるため、通常、携帯電話と基地局との間で行われるセルベース測位に加えて、ＧＰＳ測位や複数基地局測位を行う形態を説明した。但し、おおよその位置情報はセルベース測位でも得られるため、ＧＰＳ測位などを使用しない形態であってもよい。この場合、ＧＰＳ測位などのために、メッセージ生成部５０がゲートウェイ交換機３１などを制御する必要が無くなる分だけ、システム（ソフトウエア）を簡素化することが可能になる。
【００８８】
また、携帯電話が水没するなど、壊れてしまい、携帯電話を介して、安否情報を回答出来ない事態も考えられ、公衆電話など、第１ＳＭＳメッセージの送信対象の携帯電話とは別の装置を用い、特定の電話番号（伝言ダイヤルなど）にかけ、携帯電話の電話番号、パスワードや誕生日など、個人を特定するキーワードで、簡易的に認証手続きを行った上で、安否情報（無事であれば０、無事でなければ１）を入力し、かかる安否情報が第１データベース５１に登録される形態であってもよい（パソコンからのインターネットアクセスによる書き込みでもよい）。この場合、携帯電話を介した安否情報でない旨を示す識別情報を付加し、携帯電話を介した安否情報と区別出来る形態が望ましい。
【００８９】
また、第１ＳＭＳメッセージに含まれるハイパーリンクは、２種類（無事であることと、無事でないことの２種類）に限られるものではなく、３種類以上（例えば、識別子：４（怪我をした）、識別子：５（救助必要）などを加えた形態）であってもよい。
【００９０】
また、第１ＳＭＳメッセージには、特定情報表示欄と、位置情報表示欄と、安否回答用ＵＲＬ表示欄とが設けられる形態を説明したが、最低限、安否回答用ＵＲＬ表示欄があれば、安否情報の回答を受けることが出来る。また、携帯電話の識別情報をサーバー６０で受けることが出来れば、第１、第２ハイパーリンクに関連づけられたＵＲＬ情報のアドレスの「？」以下のパラメータにおいて、携帯電話番号など携帯電話を識別するための情報を含めなくても、基地局でアクセスがあった携帯電話を識別することが出来る。このため、図１０のように、特定情報表示欄と、携帯電話を識別するためのパラメータを省略した安否回答用ＵＲＬ表示欄だけで、第１ＳＭＳメッセージを構成する形態であってもよい。この場合には、第１ＳＭＳメッセージの内容は、総ての送信先の携帯電話に共通するため、第１ＳＭＳメッセージの作成が容易に行えるし、ＣＢＳ（Cell Broadcast Service）を用いて一斉配信することも可能になる。
【００９１】
また、本実施形態では、対象となる携帯電話の総てに同じ形式のメッセージを行う形態で説明したが、携帯電話の位置情報、特定情報に含まれる場所に関する情報や当該特定情報の内容などに基づいて、メッセージ内容の軽重や、メッセージを送信するタイミングを変える形態が考えられる。この場合、メッセージ生成部５０は、携帯電話の位置情報、特定情報に含まれる場所に関する情報、特定情報の内容に基づいて、携帯電話ごとに、第１ＳＭＳメッセージに第１ハイパーリンクや第２ハイパーリンクを含めるか否かの決定と、第１ＳＭＳメッセージを送信するタイミングの調整の少なくとも一方を行う。
【００９２】
例えば、情報源発信部４０から特定情報に含まれる場所に関する情報や当該特定情報の内容（災害の日時、規模など）と、携帯電話の位置情報や位置情報の取得日時（測位日時）とを比較し、災害発生日時の直前若しくは直後に測位した位置情報から特定情報に含まれる場所（災害場所）と携帯電話との距離ｄが、第１距離ｄ１以上の場合（ｄ≧ｄ１）には、特定情報表示欄だけを含み対象携帯電話の位置情報表示欄や安否回答用ＵＲＬ表示欄を含まない第１コンテンツを有する第１ＳＭＳメッセージを送信し、該距離ｄが、第１距離ｄ１未満で第１距離ｄ１よりも短い第２距離ｄ２以上の場合（ｄ１＞ｄ≧ｄ２）には、特定情報表示欄と対象携帯電話の位置情報表示欄を含み安否回答用ＵＲＬ表示欄を含まない第２コンテンツを有する第１ＳＭＳメッセージを送信し、該距離ｄが、第２距離ｄ２未満の場合（ｄ２＞ｄ）には、特定情報表示欄と対象携帯電話の位置情報表示欄と安否回答用ＵＲＬ表示欄を含む第３コンテンツを有する第１ＳＭＳメッセージを送信する。
【００９３】
第１ＳＭＳメッセージの送信は、第３コンテンツを有する第１ＳＭＳメッセージの送信を先に行い、その後、第２コンテンツを有する第１ＳＭＳメッセージの送信を行い、その後で、第１コンテンツを有する第１ＳＭＳメッセージの送信を行う。これにより、災害場所など特定情報に含まれる場所に近い位置情報を有する携帯電話から順に第１ＳＭＳメッセージが送信される。
【００９４】
第１距離ｄ１や第２距離ｄ２は、特定情報の内容、具体的には、災害の規模によって変動させ、災害の規模（震度など）が大きい場合は、第１距離ｄ１や第２距離ｄ２を大きくし、災害の規模が小さい場合は、第１距離ｄ１や第２距離ｄ２を小さくするのが望ましい。
【００９５】
災害場所など特定情報に含まれる場所から遠く離れた場所にある携帯電話の使用者は、特定情報に関連している可能性（災害に遭っている可能性）が低いため、安否情報を確認する必要性が低い。このため、特定情報に含まれる場所（災害場所）からの距離に応じて、第１ＳＭＳメッセージの内容の軽重を変えて、発信するデータの総量を調整する。第１コンテンツを有する第１ＳＭＳメッセージは、送信対象の携帯電話ごとに内容を変える必要がないため、第１ＳＭＳメッセージの作成が容易に行えるメリットもある。なお、第２ＳＭＳメッセージでは、安否の確認を行った結果、無事であること、無事でないこと、未確認であることの他に、安否確認を行っていない旨の情報も含める。
【００９６】
また、第１ＳＭＳメッセージを送信する順序を特定情報に含まれる場所（災害場所）に近い携帯電話から順に行うことで、かかる情報を必要とする可能性が高い携帯電話の使用者に対して優先的に情報送信や安否確認を行うことが可能になる。
【００９７】
さらには、携帯電話ごとに使用者が指定した地域（使用者の居住区域から特定距離内の地域など）も考慮して、第１ＳＭＳメッセージの内容の軽重を変える形態であってもよい。この場合、メッセージ生成部５０は、携帯電話の位置情報、特定情報に含まれる場所に関する情報、特定情報の内容、携帯電話ごとに指定した地域に基づいて、携帯電話ごとに、第１ＳＭＳメッセージに第１ハイパーリンクや第２ハイパーリンクを含めるか否かの決定と、第１ＳＭＳメッセージを送信するタイミングの調整の少なくとも一方を行う。
【００９８】
具体的には、携帯電話ごとに指定地域と、携帯電話の位置情報がかかる指定地域内に含まれる時に優先的に第１ＳＭＳメッセージを送信するか、非優先的に第１ＳＭＳメッセージを送信するかを設定する。これらの設定情報は、第３データベース５３に含まれる（図１１参照）。
【００９９】
具体的には、携帯電話の位置情報が、優先的に第１ＳＭＳメッセージを送信すると指定された地域内である場合、若しくは、非優先的に第１ＳＭＳメッセージを送信すると指定された地域外である場合には、災害発生日時の直前若しくは直後に測位した位置情報から災害場所と携帯電話との距離ｄが、第２距離ｄ２以上であっても、第３コンテンツを有する第１ＳＭＳメッセージの送信を行う。
【０１００】
指定地域は、居住区域など、通信キャリアと契約した携帯電話の使用者の住所を含む一定範囲内としてもよいし、東京都など都道府県や市町村名で設定してもよい。
【０１０１】
第１携帯電話２０１は、指定地域が「居住区域」で、指定地域内に位置情報が含まれる時に優先的に第１ＳＭＳメッセージを送信するものと設定され、第２携帯電話２０２は、指定地域が「居住区域」で、指定地域外に位置情報が含まれる時に優先的に第１ＳＭＳメッセージを送信するもの（指定地域内に位置情報が含まれる時に非優先的に第１ＳＭＳメッセージを送信するもの）と設定され、第３携帯電話２０３は、指定地域の指定が行われず、第４携帯電話２０４は、指定地域が「東京都」で、指定地域内に位置情報が含まれる時に優先的に第１ＳＭＳメッセージを送信するものと設定され、第５携帯電話２０５は、指定地域が「静岡県」と「神奈川県」で、指定地域外に位置情報が含まれる時に優先的に第１ＳＭＳメッセージを送信するもの（指定地域内に位置情報が含まれる時に非優先的に第１ＳＭＳメッセージを送信するもの）と設定された例を、図１１の第３データベース５３で示す。
【０１０２】
情報源発信部４０から特定情報を受信し、メッセージ生成部５０が、特定情報及び第１〜第３データベース５１〜５３に基づいて第１ＳＭＳメッセージを送信対象の携帯電話ごとに作成する具体的な手順について、図１２のフローチャートを用いて説明する。
【０１０３】
あらかじめ、第３データベース５３に、携帯電話ごとの指定地域と、携帯電話の位置情報がかかる指定地域内に含まれる時に優先的に第１ＳＭＳメッセージを送信するか、非優先的に第１ＳＭＳメッセージを送信するかが設定されている。また、特定情報の内容（災害の規模）に基づいて、第１距離ｄ１や第２距離ｄ２が決定されている。
【０１０４】
ステップＳ１１で、メッセージ生成部５０は、第１ＳＭＳメッセージ送信対象の携帯電話の位置情報が最新のものであるか否かを判断する。具体的には、測位日時が現在時刻から第３時間ｔ３（例えば、１時間）以内のものである場合には、位置情報が最新のものであると判断し、そうでない場合には、位置情報が最新のものでないと判断する。
【０１０５】
位置情報が最新のものである場合は、ステップＳ１２に進められる。位置情報が最新のものでない場合は、携帯電話の正確な位置情報が分からないとして、ステップＳ１８に進められる（省略した第１ＳＭＳメッセージの作成は行わない）。
【０１０６】
ステップＳ１２で、メッセージ生成部５０は、災害発生日時の直前若しくは直後に測位した位置情報（最新の位置情報）が、該携帯電話の指定地域であって、優先的に第１ＳＭＳメッセージを送信する地域の内側に含まれるか、若しくは、該携帯電話の指定地域であって、非優先的に第１ＳＭＳメッセージを送信する地域の外側に含まれるかを判断する。
【０１０７】
最新の位置情報が、該携帯電話の指定地域であって、優先的に第１ＳＭＳメッセージを送信する地域の内側に含まれる場合、若しくは、該携帯電話の指定地域であって、非優先的に第１ＳＭＳメッセージを送信する地域の外側に含まれる場合には、優先的に第１ＳＭＳメッセージを送信するために、ステップＳ１８に進められる。そうでない場合は、ステップＳ１３に進められる。
【０１０８】
ステップＳ１３で、メッセージ生成部５０は、災害発生日時の直前若しくは直後に測位した位置情報から、特定情報に含まれる場所（災害場所）と携帯電話との距離ｄを算出する。
【０１０９】
ステップＳ１４で、メッセージ生成部５０は、距離ｄが、第１距離ｄ１よりも長いか否かを判断する。長い場合には、ステップＳ１５に進められ、長くない場合には、ステップＳ１６に進められる。
【０１１０】
ステップＳ１５で、メッセージ生成部５０は、特定情報表示欄だけを含み対象携帯電話の位置情報表示欄や安否回答用ＵＲＬ表示欄を含まない第１コンテンツを有する第１ＳＭＳメッセージを生成する。
【０１１１】
ステップＳ１６で、メッセージ生成部５０は、距離ｄが、第２距離ｄ２よりも長いか否かを判断する。長い場合には、ステップＳ１７に進められ、長くない場合には、ステップＳ１８に進められる。
【０１１２】
ステップＳ１７で、メッセージ生成部５０は、特定情報表示欄と対象携帯電話の位置情報表示欄を含み安否回答用ＵＲＬ表示欄を含まない第２コンテンツを有する第１ＳＭＳメッセージを生成する。
【０１１３】
ステップＳ１８で、メッセージ生成部５０は、特定情報表示欄と対象携帯電話の位置情報表示欄と安否回答用ＵＲＬ表示欄を含む第３コンテンツを有する第１ＳＭＳメッセージを生成する。
【０１１４】
第１ＳＭＳメッセージの送信対象になる携帯電話の総てについて、第１ＳＭＳメッセージの生成が終了した後、第３コンテンツを有する第１ＳＭＳメッセージの送信を行い、その後、第２コンテンツを有する第１ＳＭＳメッセージの送信を行い、その後で、第１コンテンツを有する第１ＳＭＳメッセージの送信を行う。
【０１１５】
例えば、居住区域を指定地域とし、かかる指定地域を非優先とした場合には、かかる携帯電話の位置情報が、居住区域外にあると、特定情報に含まれる場所と携帯電話の位置関係に関わらず、安否確認用ＵＲＬ表示欄を含む第３コンテンツを有する第１ＳＭＳメッセージが送信される。土地勘の無い地域に居る場合には必ず安否確認が出来るようにするなど、携帯電話の使用者の用途に合わせて第１ＳＭＳメッセージの軽重や送信タイミングを調整出来る。
【符号の説明】
【０１１６】
１  情報送信システム
１０  無線アクセスネットワーク
３０  コアネットワーク
３１  ゲートウェイ交換機
３３  ＨＬＲ
３５  メッセージサービス蓄積装置
３６〜３９  第１〜第４移動交換機
４０  情報源発信部
５０  メッセージ生成部
５１〜５３  第１〜第３データベース
６０  サーバー
１０１〜１１２  第１〜第１２基地局
２０１〜２０５  第１〜第５携帯電話
【図１】
2012137458.tif 000003
【図２】
2012137458.tif 000004
【図３】
2012137458.tif 000005
【図４】
2012137458.tif 000006
【図５】
2012137458.tif 000007
【図６】
2012137458.tif 000008
【図７】
2012137458.tif 000009
【図８】
2012137458.tif 000010
【図９】
2012137458.tif 000011
【図１０】
2012137458.tif 000012
【図１１】
2012137458.tif 000013
【図１２】
2012137458.tif 000014
【手続補正書】
【提出日】平成25年5月30日(2013.5.30)
【手続補正２】
【補正対象書類名】特許請求の範囲
【補正対象項目名】全文
【補正方法】変更
【補正の内容】
【特許請求の範囲】
【請求項１】
場所に関する情報を有する特定情報を含み、携帯電話に送信される第１メッセージを作成するメッセージ生成部と、
前記第１メッセージの作成に使用され、携帯電話ごとの位置情報と、前記携帯電話の使用者ごとの安否情報を含むデータベースとを備え、
前記第１メッセージは、送信対象の携帯電話の使用者の安否を回答するために使用されるハイパーリンクを２以上有し、
前記ハイパーリンクに関連づけられたＵＲＬ情報は、それぞれ、前記携帯電話の使用者の安否回答の種類に応じて異なるパラメータを含むものであり、
前記２以上のハイパーリンクのいずれかを使った安否の回答に基づいて、前記データベースにおける前記安否情報が更新され、
前記２以上のハイパーリンクのいずれをクリックするだけでも、前記安否の回答が行われることを特徴とする情報送信システム。
【請求項２】
前記メッセージ生成部は、携帯電話の位置情報、前記特定情報に含まれる場所に関する情報、前記特定情報の内容に基づいて、前記第１メッセージに前記２以上のハイパーリンクを含めるか否かの決定と、前記第１メッセージを送信するタイミングの調整の少なくとも一方を行うことを特徴とする請求項１に記載の情報送信システム。
【請求項３】
前記メッセージ生成部は、携帯電話ごとに指定した地域を考慮して、前記決定と、前記調整の少なくとも一方を行うことを特徴とする請求項２に記載の情報送信システム。
【請求項４】
前記メッセージ生成部は、前記第１メッセージを作成してから一定時間経過後に、前記携帯電話と別の携帯電話の位置情報と前記別の携帯電話の使用者の安否情報とを含み、前記携帯電話に送信される第２メッセージを作成することを特徴とする請求項１に記載の情報送信システム。
【請求項５】
場所に関する情報を有する特定情報を含み、携帯電話に送信される第１メッセージを作成するメッセージ生成部と、
前記第１メッセージの作成に使用され、携帯電話ごとの位置情報と、前記携帯電話の使用者ごとの安否情報を含むデータベースとを備え、
前記第１メッセージは、送信対象の携帯電話の使用者の安否を回答するために使用されるハイパーリンクを２以上有し、
前記ハイパーリンクに関連づけられたＵＲＬ情報は、それぞれ、前記携帯電話の使用者の安否回答の種類に応じて異なるパラメータを含むものであり、
前記２以上のハイパーリンクのいずれかを使った安否の回答に基づいて、前記データベースにおける前記安否情報が更新され、
前記ハイパーリンクに関連づけられたＵＲＬ情報のアドレスの一部に、所定の識別記号が設けられ、
前記携帯電話は、前記所定の識別記号を認識した場合には、前記アドレスのウェブページ閲覧が可能になるまで、前記アドレスへのアクセスを繰り返し行うソフトウエアがインストールされていることを特徴とする情報送信システム。
【請求項６】
場所に関する情報を有する特定情報を含み、携帯電話に送信される第１メッセージを作成するメッセージ生成部と、
前記第１メッセージの作成に使用され、携帯電話ごとの位置情報と、前記携帯電話の使用者ごとの安否情報を含むデータベースとを備え、
前記第１メッセージは、送信対象の携帯電話の使用者の安否を回答するために使用されるハイパーリンクを２以上有し、
前記ハイパーリンクに関連づけられたＵＲＬ情報は、それぞれ、前記携帯電話の使用者の安否回答の種類に応じて異なるパラメータを含むものであり、
前記２以上のハイパーリンクのいずれかを使った安否の回答に基づいて、前記データベースにおける前記安否情報が更新され、
前記ハイパーリンクに関連づけられたリンク先のアドレスへのアクセスが前記携帯電話の基地局で拒否された場合には、前記基地局が前記アクセスを行った携帯電話の識別情報を含む情報を前記サーバーに送信し、前記識別情報に基づいて前記データベースが更新されることを特徴とする情報送信システム。
【請求項７】
前記第１メッセージは、前記携帯電話の通信キャリアの無線アクセスネットワークを使って送信されることを特徴とする請求項１に記載の情報送信システム。
【請求項８】
前記第１メッセージは、前記携帯電話の通信キャリアが有するメッセージ蓄積装置を介して送信されるＳＭＳ若しくはＥＭＳであることを特徴とする請求項７に記載の情報送信システム。
【請求項９】
前記パラメータに含まれる前記携帯電話の電話番号若しくは使用者に関する情報と、所定の識別子に基づいて、前記データベースにおける前記安否情報が決定されることを特徴とする請求項１に記載の情報送信システム。
【請求項１０】
場所に関する情報を有する特定情報を含み、携帯電話に送信される第１メッセージを作成するメッセージ生成部と、
前記第１メッセージの作成に使用され、携帯電話ごとの位置情報と、前記携帯電話の使用者ごとの安否情報を含むデータベースとを備え、
前記第１メッセージは、送信対象の携帯電話の使用者の安否を回答するために使用されるハイパーリンクを２以上有し、
前記ハイパーリンクに関連づけられたＵＲＬ情報は、それぞれ、前記携帯電話の使用者の安否回答の種類に応じて異なるパラメータを含むものであり、
前記２以上のハイパーリンクのいずれかを使った安否の回答に基づいて、前記データベースにおける前記安否情報が更新され、
前記携帯電話から、前記ハイパーリンクに関連づけられたＵＲＬ情報のアドレスにアクセスされた場合には、前記携帯電話は、前記アドレスのウェブページであって、前記携帯電話と別の携帯電話の位置情報と前記別の携帯電話の使用者の安否情報とを含むものを表示することを特徴とする情報送信システム。
【請求項１１】
前記データベースにおける安否情報は、前記メッセージの送信対象の携帯電話を介して更新されたものと区別出来る状態で、前記メッセージの送信対象の携帯電話と別の装置を介して更新可能であることを特徴とする請求項１に記載の情報送信システム。
【手続補正書】
【提出日】平成25年6月6日(2013.6.6)
【手続補正１】
【補正対象書類名】手続補正書
【補正対象項目名】手続補正１
【補正方法】削除
【補正の内容】
【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
場所に関する情報を有する特定情報を含み、携帯電話に送信される第１メッセージを作成するメッセージ生成部と、
前記第１メッセージの作成に使用され、携帯電話ごとの位置情報と、前記携帯電話の使用者ごとの安否情報を含むデータベースとを備え、
前記第１メッセージは、送信対象の携帯電話の使用者の安否を回答するために使用されるハイパーリンクを２以上有し、
前記ハイパーリンクに関連づけられたＵＲＬ情報は、それぞれ、前記携帯電話の使用者の安否回答の種類に応じて異なるパラメータを含むものであり、
前記２以上のハイパーリンクのいずれかを使った安否の回答に基づいて、前記データベースにおける前記安否情報が更新され、
前記携帯電話から、前記ハイパーリンクに関連づけられたＵＲＬ情報のアドレスにアクセスされた場合には、前記携帯電話は、前記アドレスのウェブページであって、前記携帯電話と別の携帯電話の位置情報と前記別の携帯電話の使用者の安否情報とを含むものを表示することを特徴とする情報送信システム。
【請求項２】
場所に関する情報を有する特定情報を含み、携帯電話に送信される第１メッセージを作成するメッセージ生成部と、
前記第１メッセージの作成に使用され、携帯電話ごとの位置情報と、前記携帯電話の使用者ごとの安否情報を含むデータベースとを備え、
前記第１メッセージは、送信対象の携帯電話の使用者の安否を回答するために使用されるハイパーリンクを２以上有し、
前記ハイパーリンクに関連づけられたＵＲＬ情報は、それぞれ、前記携帯電話の使用者の安否回答の種類に応じて異なるパラメータを含むものであり、
前記２以上のハイパーリンクのいずれかを使った安否の回答に基づいて、前記データベースにおける前記安否情報が更新され、
前記ハイパーリンクに関連づけられたＵＲＬ情報のアドレスの一部に、所定の識別記号が設けられ、
前記携帯電話は、前記所定の識別記号を認識した場合には、前記アドレスのウェブページ閲覧が可能になるまで、前記アドレスへのアクセスを繰り返し行うソフトウエアがインストールされていることを特徴とする情報送信システム。
【請求項３】
場所に関する情報を有する特定情報を含み、携帯電話に送信される第１メッセージを作成するメッセージ生成部と、
前記第１メッセージの作成に使用され、携帯電話ごとの位置情報と、前記携帯電話の使用者ごとの安否情報を含むデータベースとを備え、
前記第１メッセージは、送信対象の携帯電話の使用者の安否を回答するために使用されるハイパーリンクを２以上有し、
前記ハイパーリンクに関連づけられたＵＲＬ情報は、それぞれ、前記携帯電話の使用者の安否回答の種類に応じて異なるパラメータを含むものであり、
前記２以上のハイパーリンクのいずれかを使った安否の回答に基づいて、前記データベースにおける前記安否情報が更新され、
前記ハイパーリンクに関連づけられたリンク先のアドレスへのアクセスが前記携帯電話の基地局で拒否された場合には、前記基地局が前記アクセスを行った携帯電話の識別情報を含む情報を前記サーバーに送信し、前記識別情報に基づいて前記データベースが更新されることを特徴とする情報送信システム。
【請求項４】
前記メッセージ生成部は、携帯電話の位置情報、前記特定情報に含まれる場所に関する情報、前記特定情報の内容に基づいて、前記第１メッセージに前記２以上のハイパーリンクを含めるか否かの決定と、前記第１メッセージを送信するタイミングの調整の少なくとも一方を行うことを特徴とする請求項１に記載の情報送信システム。
【請求項５】
前記メッセージ生成部は、携帯電話ごとに指定した地域を考慮して、前記決定と、前記調整の少なくとも一方を行うことを特徴とする請求項４に記載の情報送信システム。
【請求項６】
前記メッセージ生成部は、前記第１メッセージを作成してから一定時間経過後に、前記携帯電話と別の携帯電話の位置情報と前記別の携帯電話の使用者の安否情報とを含み、前記携帯電話に送信される第２メッセージを作成することを特徴とする請求項１に記載の情報送信システム。
【請求項７】
前記第１メッセージは、前記携帯電話の通信キャリアの無線アクセスネットワークを使って送信されることを特徴とする請求項１に記載の情報送信システム。
【請求項８】
前記第１メッセージは、前記携帯電話の通信キャリアが有するメッセージ蓄積装置を介して送信されるＳＭＳ若しくはＥＭＳであることを特徴とする請求項７に記載の情報送信システム。
【請求項９】
前記パラメータに含まれる前記携帯電話の電話番号若しくは使用者に関する情報と、所定の識別子に基づいて、前記データベースにおける前記安否情報が決定されることを特徴とする請求項１に記載の情報送信システム。
【請求項１０】
前記データベースにおける安否情報は、前記メッセージの送信対象の携帯電話を介して更新されたものと区別出来る状態で、前記メッセージの送信対象の携帯電話と別の装置を介して更新可能であることを特徴とする請求項１に記載の情報送信システム。
【国際調査報告】
2012137458.tif 000015
2012137458.tif 000016
2012137458.tif 000017
2012137458.tif 000018